(57)【要約】【課題】電了部品を選択的に、かつ対象電子部品を均一に加熱して熱ストレスを可及的に抑制しつつ、半田付け、又は回路基板からの取り外すこと。【解決手段】電子部品を吸引するパキュームビット１２と、これの近傍に赤外線を照射する加熱手段１３と、バキュームビット１２及び加熱手段１３を昇降させる昇降手段１１と、回路基板Ｐを保持して水平方向に移動するテーブル３と、電子部品Ｄの表面温度を検出するための温度検出手段１６と、加熱手段６の下方に配置されて電子部品Ｄ及び回路基板Ｐとを電子部品Ｄの温度の方が高くなるように加熱手段１３からの赤外線を制限する赤外線照射制限手段４０とを備える。【選択図】図２
2006294958.tif 000002
【特許請求の範囲】
【請求項１】
電子部品を吸引するパキュームビットと、前記パキュームビットの近傍に赤外線を照射する加熱手段と、前記バキュームビット及び前記加熱手段を昇降させる昇降手段と、少なくとも電子部品の表面温度を検出するための温度検出手段と、前記加熱手段の下方に配置されて前記電子部品及び前記回路基板とを前記電子部品の温度が高くなるように前記加熱手段からの赤外線を制限する赤外線照射制限手段とを備え、前記電子部品の周囲の前記回路基板を加熱しつつ前記電子部品の半田付け領域を半田の溶融温度まで加熱することを特徴とする電子部品のハンダ付け、取り外し装置。
【請求項２】
前記電子部品の周囲に加熱された不活性ガスを供給する手段を有する請求項１に記載の電子部品のハンダ付け、取り外し装置。
【請求項３】
前記赤外線照射制限手段が、前記電子部品に対応する領域に赤外線透過窓を、また前記赤外線透過窓の周囲に赤外線制限用の貫通孔を設けて構成されている請求項１に記載の電子部品のハンダ付け、取り外し装置。
【請求項４】
前記赤外線照射制限手段が、前記電子部品に対応する領域に赤外線透過窓が形成された赤外線吸収フィルタ板により構成されている請求項１に記載の電子部品のハンダ付け、取り外し装置。
【発明の詳細な説明】
【技術分野】
【０００１】
本発明は、電子部品を回路基板に半田付けしたり、また回路基板に半田付けされている部品を取り外すための装置に関する。
【背景技術】
【０００２】
ハンダ付け装置は、プリント回路基板上にＩＣをとりつける場合には、たとえば、特許文献１、特許文献２に見られるように昇降可能な熱風噴射装置の先端のバキュームビットにＩＣを吸着きせて、ＩＣを吸着しクリームハンダの塗布されたプリント基板上の該当する導電パターン上に降下、載置して一定温度に制御された熱風をノズルから噴射して加熱するように構成されている。
また、プリント回路基板にハンダ付けされたＩＣの取り外しは、ノズルを基坂上のＩＣに接触させ加熱、ノズル内のバキュームビットに吸着して基板から取り外す方法に行われている。
しかしながら、熱風を加熱手段とした場合、ＣＳＰ（チップサイズパッケージ）、マイクロＢＧＡ（Ball Grid Array）等の微細電子部品においてはその表面を均一に加熱することが不可能であり、表面温度に偏差が生じ、これ起因して加熱時の熱膨張差により装置内部（のボンディング領域）が簡単に破損するという問題がある。
また、熱伝導率、比熱ともに著しく低い空気を熱伝達媒体に使用するため、単位時間に大量の加熱空気を供給する必要があり加熱時に発生する半田由来の汚染物の回収が困難である。
加えて熱風供給ノズルから漏洩する熱風が取り外し、半田付け対象部品に隣接する電子部品を破損する恐れがあり、仮にこれら熱風を完全に遮蔽して上部側に排気しようとして廃棄ダクトを設けると、電子部品間に著しく大きな間隔が必要となり、適用できないプリント基板も発生する。
このような熱風を加熱媒体とする装置の問題を解消するために、特許文献３、４に見られるような赤外線を熱源とした装置を使用することも考えられるが、これら装置は半田付け領域（リード部）が部品本体の側部に設けられた電子部品を対象とするものであるから、本体の背面（裏面）を半田付け領域とするＣＳＰ、マイクロＢＧＡの電子部品に適用できるとは言えない。
【特許文献１】特開平8-46351号公報
【特許文献２】特開2002-164646号公報
【特許文献３】特開平5-315739号公報
【特許文献４】特開平5-102654号公報
【発明の開示】
【発明が解決しようとする課題】
【０００３】
本発明はこのような問題に鑑みてなされたもので、その目的とするところは、電了部品を選択的に、かつ対象電子部品を均一に加熱して熱ストレスを可及的に抑制くしつつ、半田付け、又は回路基板からの取り外すことができる電子部品のハンダ付け、取り外し装置を提供することである。
【課題を解決するための手段】
【０００４】
本発明はこのような課題を達成するために、電子部品を吸引するパキュームビットと、前記パキュームビットの近傍に赤外線を照射する加熱手段と、前記バキュームビット及び前記加熱手段を昇降させる昇降手段と、少なくとも電子部品の表面温度を検出するための温度検出手段と、前記加熱手段の下方に配置されて前記電子部品及び前記回路基板とを前記電子部品の温度が高くなるように前記加熱手段からの赤外線を制限する赤外線照射制限手段とを備え、前記電子部品の周囲の前記回路基板を加熱しつつ前記電子部品の半田付け領域を半田の溶融温度まで加熱する。
【発明の効果】
【０００５】
半田を溶融させるべき半導体装置の領域には十分な赤外線を供給しつつ、その周囲の回路基板には加熱されている半導体装置の熱放散を防止でき、かつ回路基板を損傷しない程度の赤外線をそれぞれ選択的に供給できる。
また、熱風により加熱する場合のように半導体装置に作用する風圧がないので、安定した半田付けを行うことができる。
【発明を実施するための最良の形態】
【０００６】
そこで以下に本発明の詳細を実施例に基づいて説明する。
図１(イ)、(ロ)は、それぞれ本発明の電子部品のハンダ付け、取り外し装置の一実施例を示すものであって、水平基台１と垂直基台２とを備え、水平基台１には回路基板Ｐの平面位置を設定するＸ−Ｙテーブル３が設けられ、テーブル３の上部にはスライドカバー４、５が設けられている。
一方、垂直基台２には赤外線照射装置６、タッチパネル式ディスプレイ７、及び非常停止指令スイッチ８が設けられている。
【０００７】
図２は、同上装置の概要を示すものであって、赤外線照射装置６は、エンコーダ１０に接続されたサーボモータ１１により水平基台１に対して上下方向に移動できるように垂直基台２に取付けられている。
【０００８】
赤外線照射装置６は、下端に負圧により半導体装置を吸着するバキュームビット１２が着脱可能に取付けられ、またバキュームビット１２の先端領域に赤外線を照射する赤外線発生手段１３と、バキュームビット１２に負圧を供給するバキュームパイプ１４と、バキュームパイプ１２の上部を支持し、バキュームビット１２に作用する圧力を検出するロードセル１５、及び温度検出手段、この実施例では熱電対１６を収容して構成されている。
【０００９】
ロードセル１５は、図３に示したように水平面内での揺動を防止しつつ、上下方向に弾性変形可能な支持体３０、この実施例では、十字状の枝部３１を有する弾性板の中心にバキュームパイプ１４を貫通させて固定するとともに、枝部３１にストレインゲージ３２を貼着して構成されている。
【００１０】
また熱電対１６は、２本の熱電対線３４、３５をバキュームパイプ１４の上端から下端まで貫通させて、図４に示したようにバキュームビット１２に保持されている半導体装置Ｄの上面に当接する熱接点を形成して構成されている。
なお、温度検出点１６ａは、図３(ハ)に示したように耐熱熱伝導性粘着剤Ｓ、例えばシリコングリースを介して半導体装置Ｄに接触させることにより、被加熱半導体装置の温度を正確に検出することができる。
【００１１】
バキュームビット１２を取り囲むように後述する照射領域制限手段４０が配置されている。バキュームビット１２の下方には、バキュームビット１２に把持された半導体装置Ｄの裏面、及び回路基板Ｐの表面を撮影する撮像装置１７が進退可能に配置されている。この撮像装置１７は、特開平7-115300号公報に見られるようにビームスプリツタと、矩形状に配置された発光素子と、撮像素子とを備え、ビームスプリッタにより上下の画像を合成してＣＣＤにより電気信号に変換するように構成されている。また必要に応じてＸ−Ｙテーブル３の裏面と基台１との間には、回路基板Ｐの裏面のバキュームビット１２に対向する位置に、回路基板Ｐの裏面を加熱する赤外線照射装置が配置されている。
【００１２】
図５は、前述の赤外線照射制限手段４０の一実施例を示すものであって、半田付け、もしくは取り外しの対象となる電子部品Ｄの投影面とほぼ同等のサイズに透過窓４１を区画する赤外線遮蔽壁４２により構成され、赤外線遮蔽壁４２には透過窓４１の周囲を取り囲むように貫通孔４２ａが複数形成されている。
【００１３】
これら貫通孔４２ａは、回路基板Ｐの、取り付け、または取り外しの対象となる電子部品Ｄの周囲を補助的に加熱するために赤外線を照射するための照射孔であって、対象外の電子部品を無用に加熱することなく、かつ対象となる電子部品からの熱放散を可及的に抑制できる密度となるように形成されている。
【００１４】
さらに好ましくは、図６、図７に示したように照射制限手段４０の先端には電子部品の周囲を取り囲むフード５０が配置され、電子部品に図示しない加熱手段により加熱された窒素などの不活性ガスを供給口５１から供給して噴出口５２から加熱された不活性ガスにより少なくとも取り付け、または取り外しの対象となる電子部品Ｄの包囲するように構成されている。
【００１５】
この実施例において、タッチパネル７により半田付すべき半導体装置Ｄに適した加熱プロフィールを設定ボタンにより設定するか、または予め登録されている加熱プロフィールのデータを呼び出す。熱風半田付けすべき半導体装置Ｄがパーツフィーダ２０により所定位置に搬送されてくると、レーザー測離装置２１によりパーツフィーダ２０のベースと半導体装置Ｄの表面との距離Ｌ１、Ｌ２を測定して半導体装置Ｄの厚み（Ｌ１−Ｌ２）を検出する。
【００１６】
パーツフィーダ２０により半導体装置Ｄをバキュームビット１２の直下に搬送してバキュームビット１２に保持させる。この状態では、図２に示したように半導体装置Ｄの表面に熱電対の熱接点が接触して半導体装置Ｄの表面温度が信号として制御装置２３に入力している。
【００１７】
ついで、図示しないセンタリング装置に移動させてバキュームビット１２と半導体装置との相対位置を規制し、またＸ−Ｙテーブル３を移動させて回路基板Ｐの所定の導電パターンをバキュームビット１２の直下に移動させる。なお、センタリング装置は、例えば特開平5-48299号公報に示されているように、半導体装置の４辺を規制する爪を中心方向に付勢手段により付勢して構成することができる。
【００１８】
必要に応じて撮像装置１７をこの領域に移動させて半導体装置Ｄの底面と回路基板Ｐの導電パターンとの画像をハーフミラーにより合成させて、タッチパネル７の画像表示領域５０に映し出し、図示しない微動装置によりＸ−Ｙテーブル３の位置を微調整する。
【００１９】
位置合わせが終了した段階で、カバー４、５を閉じてボタンを押圧すると、サーボモータ１１が高速作動して赤外線照射装置６が降下し、その高さがエンコーダ１０により検出される。所定位置まで降下した段階で、サーボモータ１１が低速回転してさらに降下を続行する。半導体装置Ｄの底面が回路基板Ｐに接触すると、バキュームパイプ１４に反力が作用してロードセル１５から荷重信号が出力する。荷重が所定の値、例えば０．１ｇに到達した時点で、サーボモータ１１が停止する。これにより、半導体装置Ｄが回路基板Ｐに半田付けに適した圧力で位置決めされる。
【００２０】
ついで、タッチパネル７により加熱を指令すると、半導体装置Ｄの表面に接触している熱接点により検出される温度の時間的変化が、予め設定された状態となるように赤外線源１３への電力が制御される。
【００２１】
赤外線源１３からの赤外線（図４における矢印）は、赤外線照射制限手段４０の照射窓４１を通過して電子部品Ｄを上面から加熱し、同時に貫通孔４２ａを透過した赤外線が回路基板Ｐの、電子部品取り付け領域の周囲を加熱する。これにより、赤外線で加熱された電子部品Ｄから回路基板への熱伝導を可及的に抑制しつつ電子部品の裏面の半田を溶融温度まで急速に加熱することができる。
【００２２】
この加熱にともなう半導体装置Ｄ、また回路基板Ｐが熱膨張してバキュームビット１２への反力（圧力）が上昇すると、バキュームパイプ１４を介してロードセル１５の荷重も増加するので、サーボモータ１１が逆転して半導体装置Ｄの押圧力を一定に維持する。
【００２３】
これにより、半導体装置Ｄが回路基板Ｐに常に一定の圧力で押圧されるため、半導体装置Ｄの破損や、また半田つぶれによる短絡を防止することができる。このようにして回路基板Ｐに塗布された半田クリーム、または半導体装置Ｄの半田粒子が溶融した時点で、赤外線源１３への電力の供給を停止し、半田が固化した時点でサーボモータ１１を逆転させ、赤外線照射装置６を上昇させて元の位置に復帰させる。
【００２４】
なお、半田付け時に、必要に応じてボトムヒータにより回路基板Ｐの裏面の温度を管理しながら補助加熱することにより、半導体装置Ｄの過熱を防止して確実に半田付けを行うことができる。
【００２５】
一方、回路基板Ｐに半田付けされている半導体装置Ｄを交換のために取り外す場合には、
位置合わせが終了した段階で、赤外線照射装置６を降下させてバキュームビット１２を半導体装置Ｄに所定荷重で接触させる。
【００２６】
ついで、半導体装置Ｄの温度が規定の時間パターンで上昇するように赤外線源１３への電力を制御して半導体装置Ｄを固定している半田を溶融させる。ついで、サーボモータ１１を逆転駆動すると、半導体装置Ｄがバキュームビット１２に把持されて回路基板Ｐから剥がれる。
【００２７】
この取り外し時も、上述したように赤外線源１３からの赤外線（図４における矢印）は、赤外線照射制限手段４０の照射窓４１を通過して電子部品Ｄを上面から加熱し、同時に貫通孔４２ａを透過した赤外線が回路基板Ｐの、電子部品取り付け領域の周囲を加熱する。これにより、赤外線で加熱された電子部品Ｄから回路基板への熱伝導を可及的に抑制しつつ電子部品の裏面の半田を溶融温度まで急速に加熱することができる。
【００２８】
なお、このときロードセル１５から負の荷重信号が出力した場合には、未溶融の半田が存在することを意味するからサーボーモータ１１を正転させて、再び半田を再加熱する。これにより、半導体装置Ｄや回路基板Ｐに無理な負荷を作用させることなく、安全、確実に半導体装置を取り外すことができる。
【００２９】
図８は、本発明の他の実施例を示すものであって、この実施例においては赤外線照射装置６の外周領域の回路基板の表裏から加熱するための赤外線補助加熱手段１３’、１３
”が配置されている。なお、図中符号１４’、１４”は熱電対を示す。
【００３０】
この実施例によれば、サイズが小さいために熱放散が大きくなる半導体装置Ｄであっても、半導体装置と、その周囲との温度差を可及的に小さくし、かつ対象となる半導体装置以外の温度を可及的に抑制しつつ回路基板の裏面の半田を短時間で所要の温度に加熱でき作業を効率的に行うことができる。
【００３１】
また、上述の実施例においては半導体装置の半田付け、取り外しに例を採って説明したが、抵抗素子などのさらに小型の電子部品に適用しても同様の作用を奏することは明らかである。
さらに、上述の実施例においては、熱電対により半導体装置や回路基板の温度を測定しているが、抵抗測温素子や赤外線センサーを使用しても同様の作用を奏することは明らかである。
【００３２】
なお、上述の実施例においては赤外線照射制限手段が、板材に貫通孔を設けて回路基板加熱用の赤外線を制限しつつ放出させているが、図９に示したように赤外線吸収フィルタ板４０’に照射窓４１’を形成すると、照射窓４１’からは半導体装置を加熱するのに十分な赤外線を放出させ、また周囲のフィルタ板により回路基板の、半導体装置の周囲に熱放散を防止できる程度の赤外線を放出させることができる。
【図面の簡単な説明】
【００３３】
【図１】図（イ）、（ロ）は、それぞれ本発明の装置の一実施例をカバーを閉じた状態、及びカバーを明けた状態で示す図である。
【図２】本発明の装置の一実施例を示す構成図である。
【図３】図（イ）乃至(ハ)は、それぞれ同上装置を構成するロードセルの一実施例を示す断面図、上面図、及び温度計測点を拡大して示す図である。
【図４】同上装置を構成する赤外線照射装置の一実施例をバキュームビット近傍の構造で示す図である。
【図５】同上赤外線照射装置を構成する赤外線照射制限手段の一実施例を示す斜視図である。
【図６】同上装置を構成する赤外線照射装置の一実施例をバキュームビット近傍の構造で示す図である。
【図７】同上赤外線照射装置を構成する赤外線照射制限手段の一実施例を示す斜視図である。
【図８】本発明の赤外線照射装置を適用した電子部品のハンダ付け、取り外し装置の他の実施例を示す図である。
【図９】赤外線照射制限手段の他の実施例を示す斜視図である。
【符号の説明】
【００３４】
６  赤外線照射装置
１２  バキュームビット
１３  赤外線源、１３’、１３”
１４  バキュームパイプ
１５  ロードセル
１６、１６’、１６”１８    熱電対
２３  制御装置
４０  赤外線照射制限手段
４１  透過窓
４２  赤外線遮蔽壁
４２ａ  貫通孔
５０  フード
５１  ガス供給口
５２  噴出口
【図１】
2006294958.tif 000003
【図２】
2006294958.tif 000004
【図３】
2006294958.tif 000005
【図４】
2006294958.tif 000006
【図５】
2006294958.tif 000007
【図６】
2006294958.tif 000008
【図７】
2006294958.tif 000009
【図８】
2006294958.tif 000010
【図９】
2006294958.tif 000011